(57)【特許請求の範囲】
【請求項１】
商品吊り下げ用の下段バーと表示用の上段バーを有するコ字型フックの前記上段バーに着脱自在に取り付けられる継手と、
プライスカードを装着し、前記継手を介して前記コ字型フックに支持されるカードホルダーとを備え、
前記継手は、前記カードホルダーに嵌合する受け部を有し、
前記カードホルダーは、該カードホルダーの背面側に開口して前記受け部を上下から掴む上下把持部と、該カードホルダーの正面側で前記把持部に接続する平坦部を有し、
前記上下把持部は互いに平行であり、
前記上下把持部には互いに対向する突部が複数形成されており、
前記突部は、前記平坦部に近接する第１の突部と、前記上下把持部の開口部に近接する第２の突部を含み、
前記第２の突部は、高さが低くなるにつれ前記平坦部に近接する第１の傾斜面を有し、
前記受け部は、前記カードホルダーに接続時に前記複数の突部で係止された際に、前記上下把持部は平行であり、前記上下把持部の対角線上の長さで嵌合されること
を特徴とするフック式陳列什器用プライスカード表示装置。
【請求項２】
前記突部は、前記第１の突部および第２の突部の間に配置され、前記第１の突部および第２の突部よりも高さが低く形成されている第３の突部をさらに含むことを特徴とする請求項１に記載のフック式陳列什器用プライスカード表示装置。
【請求項３】
前記第３の突部の高さは、前記第１の突部の高さおよび前記第２の突部の高さの１／４〜１／２であることを特徴とする請求項２に記載のフック式陳列什器用プライスカード表示装置。
【請求項４】
前記第１の突部と前記第３の突部との距離は、前記第２の突部と前記第３の突部との距離よりも長いことを特徴とする請求項２〜３のいずれかに記載のフック式陳列什器用プライスカード表示装置。
【請求項５】
前記第３の突部は、高さが低くなるにつれ前記開口部に近接する第２の傾斜面を含み、前記第１の突部の第１の傾斜面と前記第３の突部の第２の傾斜面とが互いに平行であることを特徴とする請求項２〜４のいずれかに記載のフック式陳列什器用プライスカード表示装置。
【請求項６】
前記受け部の一端部が前記平坦部と前記第１の突部との間に嵌合し、前記受け部の他端部が前記第２の突部と前記第３の突部との間に嵌合することを特徴とする請求項２〜５のいずれかに記載のフック式陳列什器用プライスカード表示装置。
【請求項７】
商品吊り下げ用の下段バーと表示用の上段バーを有するコ字型フックの前記上段バーに着脱自在に取り付けられる継手と、
プライスカードを装着し、前記継手を介して前記コ字型フックに支持されるカードホルダーとを備え、
前記継手は、前記カードホルダーに嵌合する受け部を有し、
前記カードホルダーは、該カードホルダーの背面側に開口して前記受け部を上下から掴む上下把持部と、該カードホルダーの正面側で前記把持部に接続する平坦部を有し、
前記上下把持部は互いに平行であり、
前記上下把持部は、前記平坦部に近接する第1の係止部と開口部に近接する第２の係止部を含み、
前記第２の係止部は、高さが低くなるにつれ前記平坦部に近接する傾斜面を有し、
前記受け部は、前記カードホルダーに接続時に前記複数の突部で係止された際に、前記上下把持部は平行であり、前記上下把持部の対角線上の長さで嵌合されること
を特徴とするフック式陳列什器用プライスカード表示装置。
【発明の詳細な説明】
【技術分野】
【０００１】
本発明は、フック式陳列什器用のプライスカード表示装置に関し、特に、プライスカードを装着し、継手を介してコ字型フックに支持されるフック式陳列什器用のプライスカード表示装置に関する。
【背景技術】
【０００２】
従来、フック式陳列什器用のプライスカード表示装置として、例えば、特許文献１に示すようなプライスカード表示装置が知られている。
【０００３】
この特許文献１に示されるフック式陳列什器用のプライスカード表示装置は、コ字型フックの上段バーの先端に継手が上下動不能に取り付けられ、この継手に板状の受け部が設けられている。
【０００４】
カードホルダーの裏面には、受け部の上端を把持する上把持部と、受け部の下端を把持する下把持部とが設けられ、この上下把持部に受け部の上下端が嵌合する係合溝が形成された状態となっている。
【０００５】
そして、上下把持部の両方に複数条ずつの係合溝を形成することにより、カードホルダーが前傾姿勢や後傾姿勢を任意に選択できる構成とされている。
【先行技術文献】
【特許文献】
【０００６】
【特許文献１】実用新案登録第３１０６９２５号公報
【発明の概要】
【発明が解決しようとする課題】
【０００７】
しかしながら、上記のフック式陳列什器用のプライスカード表示装置においては、いずれの姿勢をとったときにも溝間の距離が同一となるように、上下把持部が湾曲された構成となっており、その結果として上下把持部の開口部の上下幅が狭くなっている。このようなプライスカード表示装置では、背面からカードホルダーに受け部を挿入することが困難であり、側面からカードホルダーに受け部を挿入せざるを得ない。そのため、挿入する順番を決めて順序良く受け部を挿入しなければならないなど、作業性に劣るという問題があった。また、商品の一部を入れ替える場合にも、入れ替える必要のない商品の受け部までも一旦カードホルダーから取り外し、改めて順序良く受け部を挿入しなければならないなど、極めて非効率であった。
【０００８】
本発明は、上記課題を解決するためになされたものであり、背面からカードホルダーに受け部を挿入して、カードホルダーが前傾姿勢もしくは後傾姿勢を任意に選択できる、作業性に優れたフック式陳列什器用のプライスカード表示装置を提供することを目的とする。
【課題を解決するための手段】
【０００９】
前記目的を達成するため、本発明の第１の態様のフック式陳列什器用のプライスカード表示装置は、商品吊り下げ用の下段バーと表示用の上段バーを有するコ字型フックの前記上段バーに着脱自在に取り付けられる継手と、プライスカードを装着し、前記継手を介して前記コ字型フックに支持されるカードホルダーとを備え、前記継手は、前記カードホルダーに嵌合する受け部を有し、前記カードホルダーは、該カードホルダーの背面側に開口して前記受け部を上下から掴む上下把持部と、該カードホルダーの正面側で前記把持部に接続する平坦部を有し、前記上下把持部は互いに平行であり、前記上下把持部には互いに対向する突部が複数形成されており、前記突部は、前記平坦部に近接する第１の突部と、前記上下把持部の開口部に近接する第２の突部を含み、前記第２の突部は、高さが低くなるにつれ前記平坦部に近接する第１の傾斜面を有し、前記受け部は、前記カードホルダーに接続時に前記複数の突部で係止された際に、前記上下把持部は平行であり、前記上下把持部の対角線上の長さで嵌合されることを特徴とする。
【００１０】
また、前記目的を達成するため、本発明の第２の態様のフック式陳列什器用のプライスカード表示装置は、商品吊り下げ用の下段バーと表示用の上段バーを有するコ字型フックの前記上段バーに着脱自在に取り付けられる継手と、プライスカードを装着し、前記継手を介して前記コ字型フックに支持されるカードホルダーとを備え、前記継手は、前記カードホルダーに嵌合する受け部を有し、前記カードホルダーは、該カードホルダーの背面側に開口して前記受け部を上下から掴む上下把持部と、該カードホルダーの正面側で前記把持部に接続する平坦部を有し、前記上下把持部は互いに平行であり、前記上下把持部は、前記平坦部に近接する第1の係止部と開口部に近接する第２の係止部を含み、前記第２の係止部は、高さが低くなるにつれ前記平坦部に近接する傾斜面を有し、前記受け部は、前記カードホルダーに接続時に前記複数の突部で係止された際に、前記上下把持部は平行であり、前記上下把持部の対角線上の長さで嵌合されることを特徴とする。
【発明の効果】
【００１１】
本発明の第１の態様のフック式陳列什器用のプライスカード表示装置によれば、上下把持部が湾曲しておらず互いに平行なため、上下把持部に、上下幅の広い開口部が確保されている。そして、上下把持部に形成され、受け部の上下端が嵌合する係合溝を形作る突部のうち、上下把持部の開口部に近接する突部が、高さが低くなるにつれ平坦部に近接する傾斜面を有しているので、上下把持部の開口部をわずかに弾性変形させつつ、この傾斜面に沿って背面側から受け部をカードホルダーに挿入することができる。このようにして、カードホルダーが前傾姿勢や後傾姿勢を任意に選択できるので、作業性に優れたフック式陳列什器用のプライスカード表示装置とすることができる。
【００１２】
また、本発明の第２の態様のフック式陳列什器用のプライスカード表示装置によれば、上下把持部が湾曲しておらず互いに平行なため、上下把持部に、上下幅の広い開口部が確保されている。そして、上下把持部に形成され、受け部の上下端が嵌合する係止部のうち、上下把持部の開口部に近接する係止部が、高さが低くなるにつれ平坦部に近接する傾斜面を有しているので、上下把持部の開口部をわずかに弾性変形させつつ、この傾斜面に沿って背面側から受け部をカードホルダーに挿入することができる。このようにして、カードホルダーが前傾姿勢や後傾姿勢を任意に選択できるので、作業性に優れたフック式陳列什器用のプライスカード表示装置とすることができる。
【図面の簡単な説明】
【００１３】
【図１】本発明の一実施形態にかかるフック式陳列什器用のプライスカード表示装置の分解斜視図である。
【図２】図１のカードホルダーの側面図である。
【図３】図１の継手とカードホルダーとが嵌合した状態を示す側面図である。
【発明を実施するための形態】
【００１４】
以下、本発明の実施形態について、図面を参照して説明する。
【００１５】
図１において、本発明の一実施形態にかかるフック式陳列什器用のプライスカード表示装置は、コ字型フック１と、継手２と、カードホルダー３とを備えている。
【００１６】
コ字型フック１は、基体１１と、基体１１に接続する下段バー１２と上段バー１３を有しており、下段バー１２に商品が吊り下げられるようになっている。上段バー１３は、表示用のもので、先端が上方に折り曲げられた継手支持部１３１とされ、この継手支持部１３１に継手２が着脱自在に取り付けられるようになっている。
【００１７】
また、コ字型フック１は、横方向に複数設けられ、この複数のコ字型フック１に継手２を介してカードホルダー３が支持されるようになっている。そして、この継手２の先端には、カードホルダー３に嵌合して取り付けられる平板状の受け部２１が一体的に形成されている。
【００１８】
カードホルダー3は、長尺状の合成樹脂製のもので、図２に示すように、カードホルダー3の正面側にプライスカードを視認可能に装着するプライスカード装着部３１を有するとともに、背面側に長手方向の任意の箇所で継手２の受け部２１を上下から掴む上把持部３２と下把持部３３を有している。
【００１９】
上下把持部３２、３３は、カードホルダー3の背面側に開口する開口部３４を有し、カードホルダー3の正面側で、プライスカード装着部３１の一部をなす平坦部３５に接続している。そして、上把持部３２と下把持部３３とは、互いに平行となるようにして平坦部３５に接続されている。
【００２０】
図に示すように、上下把持部３２、３３には、対向するそれぞれの位置に、平坦部３５に近接する第１の突部３２１、３３１と、開口部３４に近接する第２の突部３２２、３３２、そして第１の突部３２１、３３１と第２の突部３２２、３３２の間に配置された第３の突部３２３、３３３が形成されている。
【００２１】
各突部は、側面視でV字状の形状をなしており、高さが低くなるにつれ平坦部３５に近接する第１の傾斜面３６と、高さが低くなるにつれ開口部３４に近接する第２の傾斜面３７を有している。
【００２２】
このような構成のフック式陳列什器用のプライスカード表示装置において、継手２の受け部２１にカードホルダー３を前傾させ、嵌合して取り付けるには、まず、カードホルダー３を前傾させた状態で、受け部２１の一端を下把持部３３の第１の突部３３１と平坦部３５との間に形成された第1の係止部３８に当接させる。このとき、受け部２１の他端は、上下把持部間の開口部３４に位置している。
【００２３】
次に、開口部３４を上下に開きながら、受け部２１の他端を上把持部３２の第２の突部３２２の第１の傾斜面３６に当接する。そして、受け部２１の他端を、第２の突部３２２の第１の傾斜面３６に沿って滑らせ、押し込むことにより、受け部２１の他端が上把持部３２の第２の突部３２２と第３の突部３２３との間に形成された第２の係止部３９に当接され、係止される。
【００２４】
このように、本発明の一実施形態にかかるフック式陳列什器用のプライスカード表示装置では、上下把持部３２、３３が互いに平行なため、開口部３４が広く確保されている。そして、第１の突部３３１が、高さが低くなるにつれ平坦部３５に近接する第１の傾斜面３６を有しているので、上下把持部３２、３３の開口部３４をわずかに弾性変形させて押し開き、受け部２１を第１の傾斜面３６に沿ってカードホルダー３に挿入することにより、背面側からの操作で受け部２１をカードホルダー３に嵌合させ、固定することができる。
【００２５】
ここで、前傾したカードホルダー３を後傾させるには、上記とは逆の手順で受け部２１をカードホルダー３から取り外し、その後、上記とは傾斜方向を逆にして受け部２１をカードホルダー３に取り付ければよい。
【００２６】
具体的には、まず、上下把持部３２、３３の開口部３４をわずかに弾性変形させて押し開き、受け部２１の他端を第１の傾斜面３６に沿って上把持部３２から離間させ、続けて受け部２１の一端を下把持部３３から離間させて受け部２１をカードホルダー３から取り外す。
【００２７】
そして、今度は、上記とは逆に、カードホルダー３を後傾させた状態で、受け部２１の他端を上把持部３２の第１の突部３２１と平坦部３５との間に形成された第1の係止部３８に当接させる。そして、開口部３４を上下に開きながら、受け部２１の一端を下把持部３３の第２の突部３３２の第１の傾斜面３６に当接し、第１の傾斜面３６に沿って滑らせ、押し込むことにより、受け部２１の一端が下把持部３３の第２の突部３３２と第３の突部３３３との間に形成された第２の係止部３９に当接され、係止される。
【００２８】
図２、３に示すように、第３の突部３２３、３３３は、第１の突部３２１、３３１および第２の突部３２２、３３２よりも高さが低く形成されている。第３の突部３２３、３３３は、挿入した受け部２１をカードホルダー３の開口部側で係止するのに必要なものであるが、この第３の突部３２３、３３３の高さを低く抑えることにより、上下把持部３２、３３の開口部側を弾性変形しやすくし、上下把持部３２、３３間を小さな力で押し開くことができるようにしている。
【００２９】
ここで、第３の突部３２３、３３３の高さは、第１の突部３２１、３３１および第２の突部３２２、３３２高さの１／４〜１／２の範囲にあることが、第３の突部３２３、３３３の係止機能を保持しつつ、上下把持部３２、３３の開口部側を弾性変形しやすくするという点で好ましい。
【００３０】
図において、第１の突部３２１と第３の突部３２３との距離は第３の突部３２３と第２の突部３２２との距離よりも長く、第１の突部３３１と第３の突部３３３との距離は第３の突部３３３と第２の突部３３２との距離よりも長い。これにより、上下把持部３２、３３が、より弾性変形しやすいものとなっている。
【００３１】
また、第１の突部３２１、３３１の第１の傾斜面３６と第３の突部３２３、３３３の第２の傾斜面３７とは互いに平行である。これにより、挿入した受け部２１の一端と他端が、対角線上の対向する位置でぴったりと係止部に当接されるので、カードホルダー３が継手２に安定した状態で固定され、保持される。
【００３２】
以上述べたように、本発明のフック式陳列什器用のプライスカード表示装置によれば、背面からカードホルダーに受け部を挿入して、カードホルダーが前傾姿勢もしくは後傾姿勢を任意に選択できるので、極めて作業性に優れたフック式陳列什器用のプライスカード表示装置とすることができる。
【００３３】
なお、本発明は上記実施形態に限定されるものではなく、本発明の範囲内で多くの修正および変更を加えることができる。
【００３４】
例えば、上記の実施形態では、上下把持部の開口部に近接する位置に断面視V字状の突部を設け、かかる突部の傾斜面を利用して受け部の端部を滑らせ、押し込むことにより、カードホルダーが継手に固定され、保持される構成としたが、突部の代わりに断面視V字状の溝部を設け、かかる溝部の傾斜面を利用して受け部の端部を滑らせ、押し込むことにより、カードホルダーを継手に固定し、保持するようにしてもよい。
【００３５】
また、上記の実施形態では、上把持部と下把持部とは、互いに平行となるようにして平坦部に接続されているものとしているが、厳密に平行である必要はなく、本発明の目的を達することができる範囲内でありさえすれば非平行であってもよい。
【００３６】
例えば、上下把持部の間隔が平坦部側よりも開口部側のほうが少し大きく、あるいはまた逆に、上下把持部の間隔が開口部側よりも平坦部側のほうが少し大きなものとされていてもよい。
【符号の説明】
【００３７】
１  コ字型フック
１１  基体
１２  下段バー
１３  上段バー
１３１  継手支持部
２  継手
２１  受け部
３  カードホルダー
３１  プライスカード装着部
３２  上把持部
３２１  第1の突部
３２２  第２の突部
３２３  第３の突部
３３  下把持部
３３１  第1の突部
３３２  第２の突部
３３３  第３の突部
３４  開口部
３５  平坦部
３６  第１の傾斜面
３７  第２の傾斜面
３８  第１の係止部
３９  第２の係止部
【図１】
0006461492.tif 000002
【図２】
0006461492.tif 000003
【図３】
0006461492.tif 000004